(57)【要約】【課題】原料を色彩の相違によって選別する装置において、選別条件の設定・変更を容易に行う。【解決手段】投入原料を原料出力ガイド４０を通過する経路において、両側に設置した、前・後撮影フォトフィニッシュレンズ４１，４２により、背景色板４３．４４の色調と対照して検出し、色調の適合する原料を選別する装置において、色調による選別条件を設定する背景色板を選別条件に合せたそれぞれ異なる色調の複数の背景色板又は発光体の組み合わせとし、これらの背景色板を回転し、或いは発光体の発光条件、組合わせを変更することにより、選別条件の変更を可能とする。【選択図】図４
0003120310.tif 000002
【実用新案登録請求の範囲】
【請求項１】
撮影フォトフィニッシュレンズ視野を通過する原料の色彩と背景色板の色彩とを対比することによって、撮影フォトフィニッシュレンズが取得した原料と背景色板の色彩比率係数をコンピュータシステムにより比較対照して、設定条件に適合する原料を選別する、色彩による原料選別装置において、
該背景色板を異なる選別条件に合わせた色彩の複数の板からなる多面体とし、該多面体の回転操作により選別条件の設定変更を可能としたことを特徴とする色彩による原料選別システムの色調調節装置。
【請求項２】
前記複数の背景色板は、それぞれ異なる色系統の色原料を塗布することによって、それぞれの選別条件の基準色彩としたことを特徴とする請求項１記載の色彩による原料選別システムの色調調節装置。
【請求項３】
前記複数の背景色板の各板面は、異なる色系統の発光ダイオードを組合わせて、それぞれの選別条件の基準色彩としたことを特徴とする請求項１記載の色彩による原料選別システムの色調調節装置。
【請求項４】
撮影フォトフィニッシュレンズ視野を通過する原料の色彩と背景色板の色彩とを対比することによって、撮影フォトフィニッシュレンズが取得した原料と背景色板の色彩比率係数をコンピュータシステムにより比較対照して、設定条件に適合する原料を選別する、色彩による原料選別装置において、
背景色板内部に３原色の発光体を設けて、プログラム制御モジュールによって三原色の発光比率を制御し、拡散板と組合わせて、異なる色調と明暗度の基準色彩を調節することにより、色彩による選別条件の設定・変更を可能としたことを特徴とする色彩による原料選別システムの色調調節装置。
【考案の詳細な説明】
【技術分野】
【０００１】
本考案は、色彩の相違により原料などの選別を行う選別システムの選別条件調節装置に関するもので、異なる色彩条件により原料を選別する時、背景色板を取り外すことなく、直接色彩色板を回転して選別条件を変更し、作業効率を高めるものである。
【背景技術】
【０００２】
一般に農産物産品などの原料の品質を判断するのは色彩である。その品質選別に於いて、通常専門の原料選別機が採用され、要求に合わない不良原料は除去される。これによって、品質が安定し、その経済価値を維持する。
【０００３】
この種の原料選別機は構造上、図１に示すとおり、原料出力ガイド1両側にそれぞれ前探索用の撮影フォトフィニッシュ２と、後探索用の撮影フォトフィニッシュ３を設置する。またこの二組の撮影フォトフィニッシュ２，３のレンズは相対する位置にそれぞれ前背景色板4と後背景色板５を設置し、これらの前後背景色板４，５が色彩選別に必要な基準色彩を表す。原料が前後撮影フォトフィニッシュ２，３の相互に交わる位置を通過する時、撮影フォトフィニッシュ２，３によって原料と背景色板４，５の色彩比較対照係数を取得し、内部のコンピュータシステムで分析比較対照した後、信号を下方の除去機構６へ送る。仮に原料の色彩と背景色板４，５の基準色が合わない時、この除去機構６が原料を即座に選別分離し、色彩の適合する原料だけを収集ガイド７を通って収集槽８内へ集める。これら工程を経てその原料の基本機能が完了する。
【０００４】
その背景色板の基準色を表わす上で、公知の構造は、図２に示すとおり、主に基本体１０内部に発光ライト管１２が設置され、その基本体１０は、前述した撮影フォトフィニッシュレンズ一側面の板面１１に相対して光を通す設計とする。内側に設置した発光ライト管１２の光を板面１１に投射することによって色を表すことにより、板面１１に予定された色彩を呈し、原料の色彩選別を行う。
【特許文献１】特許第３１８９７０７号公報
【考案の開示】
【考案が解決しようとする課題】
【０００５】
解決しようとする問題点は、この種の原料選別機が単一色の原料選別作業にしか適さない点である。その他の色彩原料を選別するには、元の背景色板では不適応であるため、選別できない。そのため、作業員が元の背景色板を取り外し、新たに適する背景色板を設置しなければならない。このように労力と時間を費やして背景色板を交換及び校正作業をしなければならないのは大変不便で、作業効率にも影響するため、改善されなければならない。
【課題を解決するための手段】
【０００６】
本考案は、色彩選別システムの基準色彩転換設計上、背景色板外部の多数面多色彩設計を考案し、別の校正調節機構の回転制御と合わせることにより、背景色板を取り外すことなく、背景色板を回転させ、適する色彩板面を撮影フォトフィニッシュのレンズに合わせる。これによって、スピーディに色彩選別状態の回転設定が完了し、もしくは背景色板内部に設置した赤、緑、青の発光の調節比例により、背景色板の色の調節が完了することを最も主要な特徴とする。
【考案の効果】
【０００７】
本考案の色彩選別システムの多彩色調節装置は、異なる原料色彩を選別する時、背景色板を取り外すことなく、直接色彩色板を回転して変換し、作業効率を高めるという利点がある。
【考案を実施するための最良の形態】
【０００８】
主な目的は異なる原料色彩の選別作業時に、背景色板を簡単に調節して、スピーディに色彩選別条件を転換し、背景色板を取り外す手間を省く。
【０００９】
別の目的は、色彩選別条件を転換する時、背景色板を直接回転させて即座に転換操作を完了し、転換の作業にかかる時間と労力を省く。
【００１０】
更に別の目的は、色彩選別条件を転換する時、背景色板内部に赤、緑、青三種の色の発光体を設置し、プログラム制御モジュールによって三種の発光光度比率を制御し、光線を均一に拡散する効果を具えた面板と共に、異なる色調及び明暗度の基準色彩を調節し、背景色板の交換作業を省く。
【実施例１】
【００１１】
図３に示すのは、局部構造指示図で、本考案の色彩選別システムを原料選別機に適用した一実施例である。これは主に原料出力ガイド２０両側に前探索用の撮影フォトフィニッシュ２１と後探索用の撮影フォトフィニッシュ２２をそれぞれ設置する。この二組の撮影フォトフィニッシュ２１，２２のレンズに相対する位置には、前背景色板２３と後背景色板２４が設置され、前後背景色板２３，２４は色彩選別に必要な基準色彩で、原料２５が前後撮影フォトフィニッシュ２１、２２の交錯位置を通過した時、撮影フォトフィニッシュ２１、２２が原料２５と背景色板２３，２４の色彩比較対照係数を取得し、内部のコンピュータシステムによって、分析比較対照した後、信号を下方の除去機構２６へ送る。仮に原料２５の色彩と背景色板２３２４の基準色彩がマッチしない場合、この除去機構２６は原料２５を分離し、色彩の適合する原料２５だけを収集ガイド２７を経て収集槽２８内へ集める。これによって色彩判別作業の基本機能が完了する。
【００１２】
次に図４，５の構造指示図に示すとおり、異なる原料色彩の選別作業に合わせる為、本考案では前述の背景色板２３，２４の構造上、多辺形から成る基礎体３０に、多数面の板面３１を設置し、その外部の各板面３１に対してそれぞれ異なる色の着色料を塗布するか（図４参照）、その外部各板面３１に対して適する数のＬＥＤ灯３２を設置する。更に各板面３１のＬＥＤ灯３２はそれぞれ異なる色で発光する(図５参照)。それにより各板面３１は異なる基準色彩を具え、同時に基礎体３０は内部に組み込まれた校正調節機構(図未提示)の連動回転を受け、異なる板面３１と前述の撮影フォトフィニッシュ２１、２２のレンズを対応状態に調整する。これらによって、背景色板２３、２４の板面３１は変換される。
【００１３】
図６から図８に示すとおり、本考案は背景色板２３、２４の多辺形板面３１の多色型設計により、異なる色彩原料の選別作業において、背景色板２３，２４を取り外す必要がなく、背景色板２３２４を適度に回転させて適する色彩の板面３１を撮影フォトフィニッシュ２１、２のレンズに相対する位置に回転させるだけでよい。これにより、背景色板２３、２４を取り外す面倒を省くだけでなく、変換作業時間も短縮する。最も短い時間内に色彩選別条件変換作業を完成させる回転設定により、大幅に時間を短縮し、作業効率を高める。
【００１４】
図９、図１０に示すのは構造指示図で、本考案の背景色板２３、２４の他の実施例である。背景色板２３、２４を多面の板面３１に設計する他に、実施した色彩選別原料の差異をチェックするもので、複数個の背景色板２３、２４の基礎体３０を繋げて設置して適用規格にし、実際の選別作業に符合するようにする。更にそれは背景色板２３、２４を回転して適用する色彩の板面３１に調整する際に影響を受けず、更に利用価値が高まる。
【実施例２】
【００１５】
図１１〜図１４に示すのは、別の実施例である。基本的には原料出力道４０両側に各々前撮影フォトフィニッシュ４１と後撮影フォトフィニッシュ４２を設置し、そのレンズに相対する位置に別々に前背景色板４３と後背景色板４４を設置する。前後背景色板４３，４４内部には各々赤、緑、青の基本三原色の発光体５１、５２、５３が設置され、その表面に均等に拡散する効果を具える拡散板５０を被せる。更にこの三組の発光体５１，５２，５３はそれぞれ通信インターフェイスとプログラム制御モジュールによって連接されており、使用者は原料選別機に予め設置されている制御面板からＲＡＭ入力し、プログラム制御可能モジュールを通して赤、緑、青三種の発光体５１、５２、５３の発光比率と輝度を調整する。異なる色彩の発光を調整することにより、その発光は前述の光線が均一に拡散する効果を具える拡散板５０を通した後、表面に必要な基準色彩が表れ、撮影フォトフィニッシュ４１，４２で原料４５の色彩と比較し、原料４５を選別する。
【００１６】
以上の説明により、本考案は、色彩選別システムの基準色彩転換設計上、背景色板外部の多数面多色彩構造を考案し、別の校正調節機構の回転制御と合わせることにより、背景色板を取り外すことなく、背景色板を回転することにより、選別条件に適合する色彩板面を撮影フォトフィニッシュのレンズに合わせる。これによって、スピーディに色彩選別状態の回転設定が完了し、もしくは背景色板内部に設置した赤、緑、青の発光の調節比例により、背景色板の色の調節が完了する。
【図面の簡単な説明】
【００１７】
【図１】色彩選別システムを運用した公知の原料選別機構造指示図である。
【図２】色彩選別システムを運用した公知の原料選別機の局部拡大構造指示            図である。
【図３】本考案の色彩選別システムを運用した原料選別機の局部拡大構造指            示図である。
【図４】本考案の背景色板の実施例構造指示図である。
【図５】本考案の背景色板の別実施例の構造指示図である。
【図６】本考案の背景色板の三角形板面指示図である。
【図７】本考案の背景色板の六角形板面指示図である。
【図８】本考案の背景色板の八角形板面指示図である。
【図９】本考案の背景色板の別の実施例構造指示図である。
【図１０】本考案の背景色板の更に別の実施例構造指示図である。
【図１１】本考案の別の実施例を運用した色彩選別システムの原料選別機局              部構造指示図である。
【図１２】本考案の別実施例を運用した色彩選別システムの原料選別機局部              拡大指示図である。
【図１３】本考案の別実施例を運用した色彩選別システムの原料選別機の背              景色板内部に組み込んだ赤、緑、青三原色の発光体指示図である              。
【図１４】本考案の別実施例を運用した色彩選別システムの原料選別機の多              数セットを背景色板内部に設置した赤、緑、青の三原色発光体指              示図である。
【符号の説明】
【００１８】
１        原料出力ガイド
２        撮影フォトフィニッシュ
３        撮影フォトフィニッシュ
４        背景色板
５        背景色板
６        除去機構
７        収集ガイド
８        収集槽
１０        基本体
１１        板面
１２        発光ライト管
２０        原料出力ガイド
２１        撮影フォトフィニッシュ
２２        撮影フォトフィニッシュ
２３        背景色板
２４        背景色板
２５        原料
２６        除去機構
２７        収集ガイド
２８        収集槽
３０        基本体
３１        板面
３２        ＬＥＤ灯
４０        原料出力ガイド
４１        撮影フォトフィニッシュ
４２        撮影フォトフィニッシュ
４３        背景色板
４４        背景色板
４５        原料
５０        面板
５１        発光体
５２        発光体
５３        発光体
【図１】
0003120310.tif 000003
【図２】
0003120310.tif 000004
【図３】
0003120310.tif 000005
【図４】
0003120310.tif 000006
【図５】
0003120310.tif 000007
【図６】
0003120310.tif 000008
【図７】
0003120310.tif 000009
【図８】
0003120310.tif 000010
【図９】
0003120310.tif 000011
【図１０】
0003120310.tif 000012
【図１１】
0003120310.tif 000013
【図１２】
0003120310.tif 000014
【図１３】
0003120310.tif 000015
【図１４】
0003120310.tif 000016